(57)【特許請求の範囲】
【請求項１】
水は通すが糸くずは通さない網目のネットからなる表材と裏材とを合わせてその周縁部を逢着した袋体と，
前記表材の中央部に横方向全長に亘って設けられた，着物の出し入れ用開口を形成するファスナーと，
前記袋体の内部に設けられた，水を通すネットからなる左右一対の押さえ材であって，当該一対の押さえ材の対向縁以外の縁部が前記表材と裏材との逢着部とともに逢着され，前記対向縁同士の間隔が，前記ファスナーによる着物の出し入れ用開口の伸び方向と直交して縦方向に伸びる，当該一対の押さえ材と前記裏材との間への着物の差し入れ口を形成する左右一対の押さえ材と，
これら左右一対の押さえ材の前記対向縁同士を，前記ファスナーの上下においてそれぞれ連結する結び紐と，
を備えていることを特徴とする着物洗濯用ネット。
【請求項２】
前記ファスナーの両端部外側に摘み片を介して設けられ，前記袋体を前記ファスナーが内側になるように左右２つ折りしたときに，前記摘み片が袋体周縁部の内側に入った状態で連結されるスナップホックを備えていることを特徴とする請求項１記載の着物洗濯用ネット。
【発明の詳細な説明】
【技術分野】
【０００１】
本発明は，着物洗濯用ネットに関するものである。より詳しくは，家庭用洗濯機で洗える着物（浴衣等）を好適に洗うことができるようにした着物洗濯用ネットに関するものである。
【背景技術】
【０００２】
従来，着物洗濯用ネットとして，折り返し辺を境に左右対称形状のネット本体上に着物を載置し，この着物を，前記本体内部に設けた複数の押さえテープで押さえ，ネット本体を折り返した後，その本体の周縁をファスナーでコ字形に閉じるようにしたものが知られている（例えば特許文献１）。
【特許文献１】特開平１０−５４８７号公報
【発明の開示】
【発明が解決しようとする課題】
【０００３】
上記従来の着物洗濯用ネットには次のような問題があった。
１．ネット本体の外周部にコ字形にファスナーが設けられているため，着物を入れてファスナーを閉じる際，ファスナーが着物を噛み込みやすく，着物を傷付けやすい。
２．洗濯中，着物とファスナーが接触し易いため，着物を傷めやすい。
３．本体内部に設けた複数の押さえテープで着物を押さえる構成であるため，洗濯中に着物が幅狭のテープに当たって部分的な折り返しが生じる等して皺が寄りやすい。
４．ファスナーがネット本体外周部にコ字形に設けてあるため，長いファスナーが必要となり，その分コストアップとなる。
本発明の目的は，以上のような問題を解決し，着物を好適に洗うことができる着物洗濯用ネットを提供することにある。
【課題を解決するための手段】
【０００４】
上記目的を達成するため本発明の着物洗濯用ネットは，水は通すが糸くずは通さない網目のネットからなる表材と裏材とを合わせてその周縁部を逢着した袋体と，
前記表材の中央部に横方向全長に亘って設けられた，着物の出し入れ用開口を形成するファスナーと，
前記袋体の内部に設けられた，水を通すネットからなる左右一対の押さえ材であって，当該一対の押さえ材の対向縁以外の縁部が前記表材と裏材との逢着部とともに逢着され，前記対向縁同士の間隔が，前記ファスナーによる着物の出し入れ用開口の伸び方向と直交して縦方向に伸びる，当該一対の押さえ材と前記裏材との間への着物の差し入れ口を形成する左右一対の押さえ材と，
これら左右一対の押さえ材の前記対向縁同士を，前記ファスナーの上下においてそれぞれ連結する結び紐と，
を備えていることを特徴とする。
【０００５】
このような構成によれば次のような作用効果が得られる。
１．袋体に収容された着物は，その左右をそれぞれ左右の押さえ材と裏材との間へ差し入れ口から差し入れて前記結び紐を結ぶことで，着物の左右が左右一対の押さえ材で押さえられ，かつ，左右一対の押さえ材の間の差し入れ口とファスナーとは直交しているから，ファスナーを閉じる際，ファスナーが着物を噛み込むということは殆どなくなる。したがって，着物を傷付けるということは殆どなくなる。
２．上記の通り，着物の左右が左右一対の押さえ材で押さえられ，かつ，左右一対の押さえ材の間の差し入れ口とファスナーとが直交しているから，洗濯中，着物とファスナーが接触しにくい。したがって，着物を傷めにくい。
３．左右の押さえ材はその対向縁以外の縁部が前記表材と裏材との逢着部とともに逢着され，かつ，左右一対の押さえ材の前記対向縁同士は，前記ファスナーの上下においてそれぞれ結び紐で連結され，しかもファスナーは左右一対の押さえ材の間の差し入れ口と直交しているから，袋体に入れた着物は，その左右がそれぞれ左右の押さえ材で適度に押さえられ，かつ着物全体としても，裏材と左右の押さえ材と表材とで適度に押さえられる。
したがって，洗濯中，着物に皺が寄りにくい。
４．ファスナーは表材の中央部に横方向全長に亘って設ければよいから，短くてすむ。したがって，その分コストダウンが可能となる。
以上により，着物を好適に洗うことができる着物洗濯用ネットを安価に提供することができる。
【０００６】
望ましくは，前記ファスナーの両端部外側に摘み片を介して設けられ，前記袋体を前記ファスナーが内側になるように左右２つ折りしたときに，前記摘み片が袋体周縁部の内側に入った状態で連結されるスナップホックを備えた構成とする。
このように構成すると，袋体および袋体に収納した着物を２つ折り状態で洗濯できるので，洗濯中に着物が袋体内で片側にずれにくくすることができる。
【０００７】
前述した従来のネットの場合，２つ折りしたネット本体の外周部にコ字形にファスナーが設けられているので，洗濯中にファスナーが洗濯槽内面と当たって接触音を発生させたり，また他の洗濯物にファスナーが接触して他の洗濯物を傷めるおそれがあった。
これに対し，この発明によれば，袋体はファスナーが内側になるように２つ折りにされ，かつ，袋体を２つ折りにしたときにファスナーの両端部を連結するスナップホックは，ファスナーの両端部外側に設けた摘み片を袋体周縁部の内側に入れた状態で連結されるので，洗濯中にファスナーやスナップホックが洗濯槽内面と当たって接触音を発生させることはなく，また他の洗濯物にファスナーやスナップホックが接触して他の洗濯物を傷めるということもなくなる。
しかも，スナップホックを設けるための，ファスナーの両端部外側の摘み片はスナップホックとともに，ファスナー開閉時の摘みとして利用できる。
【発明を実施するための最良の形態】
【０００８】
以下，本発明に係る着物洗濯用ネットの実施の形態について図面を参照して説明する。
図１は，本発明に係る着物洗濯用ネットの一実施の形態を示す斜視図，図２は２つ折りにするときの説明図で，（ａ）は２つ折りにする過程の説明図，（ｂ）は２つ折りにした状態の斜視図，（ｃ）は図（ｂ）におけるｃ−ｃ部分拡大断面図（概略的断面図）である。
【０００９】
図１に示すように，この着物洗濯用ネット１は，水は通すが糸くずは通さない網目のネットからなる表材１０と裏材２０とを合わせてその周縁部１１，２１を逢着した袋体３０と，
表材１０の中央部に横方向全長に亘って設けられた，着物Ｋの出し入れ用開口１２を形成するファスナー４０と，
袋体３０の内部に設けられた，水を通すネットからなる左右一対の押さえ材５０，５０であって，当該一対の押さえ材５０，５０の対向縁５１以外の縁部５２が前記表材１０と裏材２０との逢着部１１，２１とともに逢着され，前記対向縁５１同士の間隔５３が，ファスナー４０による着物の出し入れ用開口１２の伸び方向と直交して縦方向に伸びる，当該一対の押さえ材５０，５０と裏材２０との間への着物Ｋの差し入れ口５４，５４を形成する左右一対の押さえ材５０，５０と，
これら左右一対の押さえ材５０の対向縁５１同士を，ファスナー４０の上下においてそれぞれ連結する結び紐５５，５５，５６，５６と，
ファスナー４０の両端部外側に摘み片６１，６２を介して設けられ，袋体３０を図２に示すようにファスナー４０が内側になるように左右２つ折りしたときに，摘み片６１，６２が袋体３０周縁部１１，１２の内側に入った状態で連結されるスナップホック７１，７２と，を備えている。
【００１０】
表材１０と裏材２０は，水は通すが糸くずは通さない網目の公知のネット材で構成でき，例えばクインズ編みにて形成したネット材で構成する。
表材１０と裏材２０の周縁部１１，２１および，押さえ材５０のコの字状をなす３辺はバイアステープＢを沿わせて一緒に縫製する。
押さえ材５０の対向縁５１にもバイアステープＢを逢着してある。
【００１１】
押さえ材５０は，糸くずを通さない袋体３０の内部に設けられるものであるから，水を通すネット材であればよく，糸くずを通さないネット材である必要はないが，この実施の形態では，着物Ｋに対する糸くずの付着をより確実に防止すべく，表材１０，裏材２０と同様，水は通すが糸くずを通さないネット材で構成してある。
結び紐５５，５６はその一端部をバイアステープＢとともに対向縁５１に逢着してある。
【００１２】
摘み片６１，６２は，ファスナー４０の端部においてベルト状布（例えば杉綾テープ）の一端部を前記バイアステープＢとともに袋体３０の周縁部１１，１２に逢着し，他端を折り返して逢着し，その折り畳部（二重部分）にスナップホック７１，７２を取り付けてある（図２（ｃ）参照）。
図１において８０は，ファスナー４０を閉じた際に，その摘み４１を覆うようにして収容するためのカバーである。カバー８０はゴム布ベルトの両端部をファスナー４０とともに出し入れ用開口１２に沿って逢着することで取り付けられている。
【００１３】
なお，この実施の形態のファスナー４０を閉じた状態の袋体３０の寸法は，洗濯物を入れない状態で，横（ファスナー４０が伸びている方向）４３ｃｍ，縦４０ｃｍである。押さえ材５０の幅（ファスナー４０が伸びている方向）は１５ｃｍ，対向縁５１同士の間隔５３は２３ｃｍである。結び紐５５，５６の長さはそれぞれ１９ｃｍである。
【００１４】
以上のような着物洗濯用ネット１は例えば次のようにして使用する。
着物Ｋ（例えば浴衣）を袋体３０内に入る大きさに折り畳む。例えば袖畳みとする。
畳んだ着物Ｋを，その左右ＫＬ，ＫＲを順に出し入れ用開口１２に通しながら差し入れ口５４に通して押さえ材５０，５０の下方に入れるようにして押さえ材５０，５０と裏材２０との間に収容する。
袋体３０内における着物Ｋの状態を整えた後，着物Ｋの厚さに応じて結び紐５５同士および５６同士を蝶結び等して連結する（図２（ａ）参照）。
ファスナー４０を閉じ，その摘み４１をカバー８０内に収容し，図２（ａ）に示すように，ファスナー４０と直交する中心線Ｏを折り目にしてファスナー４０が内側になるように左右２つ折りにし，図２（ｂ）（ｃ）に示すように摘み片６１，６２が袋体３０周縁部１１，１２の内側に入れるようにしてスナップホック７１，７２を連結する。
このような状態で着物Ｋを収納した袋体３０を洗濯機に投入し，洗濯する。
【００１５】
以上のような着物洗濯用ネット１は，水は通すが糸くずは通さない網目のネットからなる表材１０と裏材２０とを合わせてその周縁部１１，２１を逢着した袋体３０と，  表材１０の中央部に横方向全長に亘って設けられた，着物Ｋの出し入れ用開口１２を形成するファスナー４０と，  袋体３０の内部に設けられた，水を通すネットからなる左右一対の押さえ材５０，５０であって，当該一対の押さえ材５０，５０の対向縁５１以外の縁部５２が前記表材１０と裏材２０との逢着部１１，２１とともに逢着され，前記対向縁５１同士の間隔５３が，ファスナー４０による着物の出し入れ用開口１２の伸び方向と直交して縦方向に伸びる，当該一対の押さえ材５０，５０と裏材２０との間への着物Ｋの差し入れ口５４，５４を形成する左右一対の押さえ材５０，５０と，  これら左右一対の押さえ材５０の対向縁５１同士を，ファスナー４０の上下においてそれぞれ連結する結び紐５５，５５，５６，５６とを備えているので，次のような作用効果が得られる。
【００１６】
１．袋体３０に収容された着物Ｋは，その左右ＫＬ，ＫＲをそれぞれ左右の押さえ材５０，５０と裏材１０との間へ差し入れ口５４，５４から差し入れて結び紐５５，５５，５５，５６を結ぶことで，着物の左右ＫＬ，ＫＲが左右一対の押さえ材５０，５０で押さえられ，かつ，左右一対の押さえ材５０，５０の間の差し入れ口５４，５４とファスナー４０とは直交しているから，ファスナー４０を閉じる際，ファスナー４０が着物Ｋを噛み込むということは殆どなくなる。したがって，着物Ｋを傷付けるということは殆どなくなる。
【００１７】
２．上記の通り，着物の左右ＫＬ，ＫＲが左右一対の押さえ材５０，５０で押さえられ，かつ，左右一対の押さえ材５０，５０の間の差し入れ口５４とファスナー４０とが直交しているから，洗濯中，着物Ｋとファスナー４０が接触しにくい。したがって，着物Ｋを傷めにくい。
【００１８】
３．左右の押さえ材５０，５０はその対向縁５１以外の縁部５２が表材１０と裏材２０との逢着部（１１，１２）とともに逢着され，かつ，左右一対の押さえ材５０，５０の対向縁５１同士は，ファスナー４０の上下においてそれぞれ結び紐５５，５６で連結され，しかもファスナー４０は左右一対の押さえ材５０，５０の間の差し入れ口５４，５４と直交しているから，袋体３０に入れた着物Ｋは，その左右ＫＬ，ＫＲがそれぞれ左右の押さえ材５０で適度に押さえられ，かつ着物Ｋ全体としても，裏材２０と左右の押さえ材５０，５０と表材１０とで適度に押さえられる。
したがって，洗濯中，着物Ｋに皺が寄りにくい。
【００１９】
４．ファスナー４０は表材１０の中央部に横方向全長に亘って設ければよいから，短くてすむ。したがって，その分コストダウンが可能となる。
以上により，着物を好適に洗うことができる着物洗濯用ネットを安価に提供することができる。
【００２０】
５．ファスナーの両端部外側に摘み片６１，６２を介して設けられ，袋体３０をファスナー４０が内側になるように左右２つ折りしたときに，摘み片６１，６２が袋体周縁部１１，１２の内側に入った状態で連結されるスナップホック７１，７２を備えているので，袋体３０および袋体３０に収納した着物Ｋを２つ折り状態で洗濯できる。したがって，洗濯中に着物Ｋが袋体３０内で片側にずれにくくすることができる。
【００２１】
６．前述した従来のネットの場合，２つ折りしたネット本体の外周部にコ字形にファスナーが設けられているので，洗濯中にファスナーが洗濯槽内面と当たって接触音を発生させたり，また他の洗濯物にファスナーが接触して他の洗濯物を傷めるおそれがあった。
これに対し，この実施の形態の着物洗濯用ネット１によれば，袋体３０はファスナー４０が内側になるように２つ折りにされ，かつ，袋体３０を２つ折りにしたときにファスナー４０の両端部を連結するスナップホック７１，７２は，ファスナー４０の両端部外側に設けた摘み片６１，６２（したがってスナップホック７１，７２）を袋体周縁部１１，１２の内側に入れた状態で連結されるので，洗濯中にファスナー４０やスナップホック７１，７２が洗濯槽内面と当たって接触音を発生させることはなく，また他の洗濯物にファスナー４０やスナップホック７１，７２が接触して他の洗濯物を傷めるということもなくなる。
しかも，スナップホック７１，７２を設けるための，ファスナー４０の両端部外側の摘み片６１，６２はスナップホック７１，７２とともに，ファスナー４０開閉時の摘みとして利用できる。
【００２２】
以上，本発明の実施の形態について説明したが，本発明は上記の実施の形態に限定されるものではなく，本発明の要旨の範囲内において適宜変形実施可能である。
【図面の簡単な説明】
【００２３】
【図１】本発明に係る着物洗濯用ネットの一実施の形態を示す斜視図。
【図２】着物洗濯用ネットを２つ折りにするときの説明図で，（ａ）は２つ折りにする過程の説明図，（ｂ）は２つ折りにした状態の斜視図，（ｃ）は図（ｂ）におけるｃ−ｃ部分拡大断面図。
【符号の説明】
【００２４】
１    着物洗濯用ネット
Ｋ    着物
１０    表材１０
１１    周縁部
１２    出し入れ用開口
２０    裏材
２１    周縁部
３０    袋体
４０    ファスナー
５０    押さえ材
５１    対向縁
５２    対向縁以外の縁部
５３    間隔
５４    差し入れ口
５５，５６    結び紐
６１，６２    摘み片
７１，７２    スナップホック
【図１】
0004716915.tif 000002
【図２】
0004716915.tif 000003